(57)【要約】【課題】術医が手操作で簡単に照明方向を操作でき、患者の体位変更や切開部位の深部にかかわらず、術野を常に適切に照明できるところの外科用手術照明装置を提供すること。【解決手段】装置を固定するための固定手段（１）、光を発生させる光源部（２）、少なくとも１枚の集光レンズ（１０）を備えた照射部（３）、及び前記照射部（３）の操作姿勢を保持する姿勢保持手段（４）からなり、術野を局所的に照射する外科手術用照明装置。【選択図】図１
2011056225.tif 000002
【特許請求の範囲】
【請求項１】
術野を局所的に照射する外科手術用照明装置であって、
装置を固定するための固定手段（１）、
光を発生させる光源部（２）、
少なくとも１枚の集光レンズ（１０）を備えた照射部（３）、及び
前記照射部（３）の操作姿勢を保持する姿勢保持手段（４）、
とから構成されていることを特徴とする外科手術用照明装置。
【請求項２】
前記姿勢保持手段（４）が、曲げ形状保持可能なフレキシブルチューブ（４Ａ）で構成されていることを特徴とする請求項１に記載の外科手術用照明装置。
【請求項３】
前記光源部（２）が前記照射部（３）に隣接設置されていることを特徴とする請求項１又は請求項２に記載の外科手術用照明装置。
【請求項４】
前記光源部（２）と前記照射部（３）とが光ファイバー（５）で接続されていることを特徴とする請求項１又は請求項２に記載の外科手術用照明装置。
【請求項５】
前記光源部（２）が、赤外線波長を実質的に含まないＬＥＤ（２Ａ）から構成されていることを特徴とする請求項１乃至請求項４の何れか１項に記載の外科手術用照明装置。
【請求項６】
前記光源部（２）がハロゲンランプ（２Ｂ）から構成され、且つ、赤外線遮光フィルター（８）が備えられていることを特徴とする請求項１乃至請求項４の何れか１項に記載の外科手術用照明装置。
【請求項７】
前記固定手段（１）が、天井に備えた被固定部材（１Ａ）に対して着脱可能な取り付け部材（１Ｂ）からなることを特徴とする請求項１乃至請求項６の何れか１項に記載の外科手術用照明装置。
【請求項８】
前記固定手段（１）が、手術台（７）の器具固定用フレーム（７Ａ）に対して着脱可能なクランプ機構（１Ｃ）からなることを特徴とする請求項１乃至請求項６の何れか１項に記載の外科手術用照明装置。
【請求項９】
前記照射部（３）が、集光レンズ（１０）の焦点操作部（１１）を備え、その集光レンズ（１０）の少なくとも１枚の集光レンズ（１０Ｂ）が前記焦点操作部（１１）の先端部（１１Ｂ）側に設けられていることを特徴とする請求項１乃至請求項８の何れか１項に記載の外科手術用照明装置。
【請求項１０】
少なくとも前記フレキシブルチューブ（４Ａ）及び前記照射部（３）が、オートクレーブによる滅菌処理に耐える耐熱素材で構成されていることを特徴とする請求項２乃至請求項９の何れか１項に記載の外科手術用照明装置。
【発明の詳細な説明】
【技術分野】
【０００１】  本発明は、外科手術用照明装置に関し、特に、整形手術において非常に有用な外科手術用照明装置に関する。
【背景技術】
【０００２】  外科手術に際しては、その術野を明るく照らすことが絶対的要件であり、そのために、通常、手術室の天井には高ルクス、例えば、手術台で２００００ルクス以上が得られる無影灯が備えられている。【０００３】  術野を有効に照射することは、手術を確実に行う上で極めて重要である。しかし、四肢、内臓に関わらず、処置を行う局所の位置は変化するため、術中に頻繁に照射位置の変更が必要となる。これまでに、身体の深部に及び手術については、術野に入れる手術器具（鈎等）に照明手段を備え、術野を照射するような方法も行われてきた。しかし、術者が望む局所を照射する上での自由度は低く、照射器具自体が術野を妨げる可能性がある。また、執刀医の頭部や手に照明手段を備えるといった補助的な方法も採られている。術医に照明器具を備える場合には、術医が動くことによって照射位置が変化することになるので、常に術野を確実に照明するという観点からして不適切なものであった。【０００４】  こうした従来の手術用照明手段については、次の技術が提案されている。
【特許文献１】特許公表２００９−５０３７６７。
【特許文献２】特許公表２００２−５１４１２７。
【特許文献３】特開平１０−１０８８２４。
【発明の開示】
【発明が解決しようとする課題】
【０００５】  従来の外部や手術器具に装着した照明からの照射方法で問題となるのは、四肢（例えば、膝、股、肩関節手術等）手術や、３次元構造の軟部組織である循環器、消化器などの内臓器手術のように、手術中に患者の体位（姿勢）や処置する臓器の位置が変わり、且つ、その手術が身体深部におよぶ場合である。すなわち、処置する関節、臓器などの位置変化により、天井等の定位置にある照明器具では、陰の部分が生じて術野が確実に照射され難く、特に、切開深部にいたるまで確実に照射することは不可能であった。【０００６】  従って、照明手段が固定したものでないこと、照明の方向を調節可能であること、照度の調節も行い得ること、患者の体位変化に応じて術医が照明手段を直接手で操作可能であること、その為に、好ましくは、少なくとも照明手段の操作部位は滅菌処理（オートクレーブ）可能な素材で構成されること等が求められる。【０００７】  本発明は、かかる問題点に鑑み、術医が手操作で簡単に照明方向を操作でき、患者の体位変更や切開部位の深部にかかわらず、術野を常に適切に照明できるところの外科用手術照明装置を提供することを目的とする。
【課題を解決するための手段】
【０００８】  本発明にかかる外科用手術照明装置は、上記課題を解決するために、請求項１に記載の通り、術野を局所的に照射する外科手術用照明装置であって、装置を固定するための固定手段（１）、光を発生させる光源部（２）、少なくとも１枚の集光レンズ（１０）を備えた照射部（３）、及び前記照射部（３）の操作姿勢を保持する姿勢保持手段（４）、とから構成されていることを特徴とする。【０００９】  本発明において、固定手段とは、装置を手術室の適所、例えば、実施例１の天井の他、壁面、手術台の一部（実施例２）、離被架（リヒカ）等に固定するための手段であり、完全固定、着脱自在の固定（実施例１のジャック方式、或いはフック）も含まれる。
本発明において、光源部とは、光を発生させる手段からなるもので、ハロゲン、キセノンランプ、水銀灯或いはＬＥＤ等の公知の光発生手段が含まれる。そのＬＥＤについては、赤外線波長を含まず、可視光波長の放射を主体としたものを対象とする（僅かに赤外線波長を含む場合は許容される）。【００１０】  本発明において、集光レンズとば、光束を収束、または拡散できるレンズを言うが、１枚のものも、複数枚のものも含まれる。
本発明において、姿勢保持手段とは、照射部の姿勢を変化させたときに、その姿勢を保持できる構成のもので、例えば、ステンレスフレキシブルチューブ、インターロック、スタンドチューブ（外径が３．５ｍｍ程度のマイクロスタンドチューブも含む）と呼称されるものを言う。また、ボールジョイントで、姿勢保持（操作角度）が可能な構成のものも含まれる。
尚、本発明の電源については、例えば、コンセントから取得する商用電源もしくは、２次電池などを用いたバッテリーと呼称されるものが用いられる。
【発明の効果】
【００１１】  本発明によれば、四肢手術や内臓器手術のように、手術中に患者の体位（姿勢）や処置する臓器の位置が変わり、陰が生じ易い術野に対して、術医が手操作で照明部を変位させて確実に術野深部を照明することができる。この際、姿勢保持手段を備えることで、照射部の操作位置が、術医の操作した位置で手を離しても自動的に位置保持することができるので、非常に楽に照射位置変更が可能であり、従って、照射位置修正を行い易いものである。
本発明のその他の効果は、以下の実施例の記載から明らかになるであろう。
【発明を実施するための最良の形態】
【００１２】  本発明の実施に際しては、次の手段を採用することが好ましい。
先ず、前記姿勢保持手段（４）が、曲げ形状保持可能なフレキシブルチューブ（４Ａ）で構成されていることが好ましい。
このように、曲げ形状保持可能なフレキシブルチューブ（４Ａ）を備えることで、照射部（３）の姿勢変更が３６０度自在に回動変化でき、その照射方向も自在に変えることができて、術野の照射方向を微調整可能であり、術医が手を離すとその操作位置を自動的に保持でき、その操作も軽い手操作で容易に行い得る。【００１３】  次いで、前記光源部（２）が前記照射部（３）に隣接設置されていることが好ましい。
このように、光源部（２）が照射部（３）に隣接設置されることで、発生した光をそのまま有効に使用することができるので、照明効率に優れている。この場合、光源部と照射部が一体となるため、その重量が増大することになり、構造上好ましくないが、光源部をランプでなく、ＬＥＤ等の軽量な光源とすることで、問題解消可能である。【００１４】  また、前記光源部（２）と前記照射部（３）とが光ファイバー（５）で接続されていることが好ましい。
このように、光ファイバーを用いることで、重量のある光源部を照射部から離して設けることができ、軽量となる照射部の姿勢保持を容易にすることができる。【００１５】  そして、前記光源部（２）がＬＥＤ（２Ａ）から構成されていることが好ましい。
このように、ＬＥＤを用いることで、ハロゲンランプ等とは異なり、その光線に赤外線成分が含まれず（或いは少ない）、照射部位の温度上昇を抑制して、術野の焼きつきを未然に防止することができる。【００１６】  次いで、前記光源部（２）がハロゲンランプ（２Ｂ）から構成され、且つ、赤外線遮光フィルター（８）が備えられていることが好ましい。
このようなランプを用いることで高い照度を得ることが容易であり、その分、赤外線波長が含まれることになるため、これを、赤外線遮光フィルターで除去することで、患部の焼きつきを防止できる。【００１７】  また、前記固定手段（１）が、天井に備えた被固定部材（１Ａ）に対して着脱可能な取り付け部材（１Ｂ）からなることが好ましい。
このような固定手段を用いることで、不要な場合に、手術台上の近傍位置に位置する照明装置を取り外しておくことができる。
尚、被固定部材としては、天井の壁面に取り付けた部材、天井の無影灯の照明器具の一部に設けた部材も対象となる。【００１８】  更に、前記固定手段（１）が、手術台（７）の器具固定用フレーム（７Ａ）に対して着脱可能なクランプ機構（１Ｃ）からなることが好ましい。
このように、器具固定用フレームの任意の位置に装着できることは、膝の手術等には必要なことで、勿論、不要の場合には取り外すことが求められるが、クランプ方式であるので、容易に着脱できる。【００１９】  また、前記照射部（３）が、集光レンズ（１０）の焦点操作部（１１）を備え、その集光レンズ（１０）の少なくとも１枚の集光レンズ（１０Ｂ）が前記焦点操作部（１１）の先端部（１１Ｂ）側に設けられていることが好ましい。
このように、集光レンズ（１０）の焦点操作部（１１）を備えることで、照射部の位置、姿勢調節と共にその照度（範囲）も調整することができ、術野の条件に適合した照明条件を満たすことができる。
こうした焦点操作部（１１）としては、フォーカス調節で用いられる公知の回動方式のものが、操作方法が容易で好ましい。【００２０】  更に、少なくとも前記フレキシブルチューブ（４Ａ）及び前記照射部（３）が、オートクレーブによる滅菌処理に耐える耐熱素材で構成されていることが好ましい。
手術用器具等は、通常、病院備え付けのオートクレーブを用いて滅菌処理されるものであるので、こうした滅菌処理を施すことのできる耐熱素材、例えば、金属製、ガラス製、或いは合成樹脂等で、少なくとも陰圧下で、且つ摂氏１３５度以下では塑性変形を来たさないもので構成される。例えば、ステンレス、アルミニウム、シリコン，フッ素樹脂等である。
これにより、術医が直接手で操作しても感染問題を生じない。
【実施例】
【００２１】  本発明にかかる外科用手術照明装置の好適実施の形態を、図面を参照して以下詳述する。
（実施例１）
図１は、手術室の内部の略全体を示し、外科用手術照明装置を、手術室の天井の無影灯の照明装置９の側部から手術台７の方に向けて垂下させた実施態様を示す。
図２に示すように、かかる外科手術用照明装置は、装置を固定するための固定手段１、光を発生させる光源部２、集光レンズ１０を備えた照射部３、及び前記照射部３の操作姿勢を保持する姿勢保持手段４、とから構成されている。【００２２】  この実施例では、前記姿勢保持手段４は、曲げ形状保持可能なフレキシブルチューブ４Ａ、通称、スタンドチューブ（鉄製）などで構成されている。図３にその一部を示すように、このフレキシブルチューブ４Ａは、断面丸形と三角形の二重線の組み合わせ構造で、曲げ形状が保持でき、マイクスタンド、電気スタンド等に使用されている構造のものである。尚、耐熱性の樹脂で構成されたフレキシブルチューブを用いることもできる。【００２３】  また、この実施例では、図４に示すように、前記光源部２が、可視光成分を含み、赤外線波長を実質的に含まないＬＥＤ２Ａから構成されている。通常、ＬＥＤの発する光には、可視光以外の波長成分が殆ど含まれない。そのため、照射部の発熱を防ぐことができる。術野が自然な色で再現される、演色性の高いＬＥＤを用いることが望ましい。一方、光源としてＬＥＤ２Ａを用いる場合、素子自体が高温に発熱し、これを冷却するべくＬＥＤ２Ａ（素子近傍）に排熱部が必要になるため、これを設けている。この排熱部は、ヒートシンクと呼ばれる放熱器４３、排熱ファン４２などで構成されている。４１は、ＬＥＤ２Ａを発光させるためのコントローラーを示す。【００２４】  そして、前記光源部２と前記照射部３とが多数の光ファイバー５で接続されている。光ファイバー５は、ここでは、線径が０．２〜１．０ｍｍ程度で、２００本を束ねて用いている。しかし、５００本程度で、異種径混合でも、同径のものばかりでもよい。尚、光ファイバー５の素材は公知のものでよく、例えば、石英ガラス、フッ化ポリマー等が用いられている。
ここでは、装置を天井から垂下させる形態であり、前記光源部２は、天井の無影灯照明装置９の側部に設けられた被固定部材１Ａの側に設けており、ここから電源（ここではバッテリー）に接続されており、ＬＥＤ２Ａの発光は、光ファイバー５を介して前記照射部３に伝達される構成とされている。尚、バッテリー、電源のスイッチ等は、図示、説明を省略した。【００２５】  この光ファイバー５が、前記フレキシブルチューブ４Ａの中に余裕をもって収容され、このフレキシブルチューブ４Ａの屈曲に対応できる構成とされている。
従って、フレキシブルチューブ４Ａは、それ自体の重量、光ファイバー５の重量、集光レンズ１０の重量を支持できればよく、前記光源部２を固定手段１により固定側に設けることで支持対象を軽量とすることができて、その操作姿勢状態の保持を行い易いのである。【００２６】  上記固定手段１である、天井に備えた被固定部材１Ａは、ソケット１ａからなり、これに嵌合する着脱可能な取り付け部材１Ｂとしてのジャック１ｂによって、着脱自在に連結固定が可能とされている（以下と同じ公知の構造）。前記フレキシブルチューブ４Ａについても同様である。即ち、ソケット６Ａとジャック６Ｂによる連結構造自体は、図５及び図６に示す通り、一般に用いられているものである。即ち、ジャック６Ｂに、スプリング３２Ｂで弾性保持されたボール３２Ａが、ソケット６Ａの内面に湾曲状態に刻設された嵌合溝３２Ｃに嵌合されることで、連結状態が弾性保持される。そして、このジャック６Ｂは、フレキシブルチューブ４Ａ及び内部の光ファイバー５と一体的に設けられているので、このジャック６Ｂを引き抜くと、光ファイバー５が前記光源部２から引き抜かれることになる。【００２７】  さらに、前記照射部３が、集光レンズ１０の焦点操作部１１を備えている。この実施例では、前記集光レンズ１０は、２枚の集光レンズ（１０Ａ，１０Ｂ）で構成されているもので、その集光レンズ１０の少なくとも１枚の集光レンズ１０Ｂが前記焦点操作部１１の側に設けられ、その焦点操作部１１は、螺合による基部１１Ａ及び先端部１１Ｂの２分割のケーシング構造とされ、一般のカメラと同様に、レンズ外周部を手操作で回動操作することによって集光レンズ１０Ｂを光軸方向に位置変位させる公知の構成から成るものである。【００２８】  また、前記取り付け部材１Ａは金属及び耐熱樹脂、照射部３の本体は金属及び耐熱樹脂と要部に金属製部品、フレキシブルチューブ４Ａを金属製で構成し、オートクレーブによる滅菌処理（約１３５℃）を行い得る素材で構成されている。【００２９】（作用）
このような照明装置の使用に際しては、天井からフレキシブルチューブ４Ａを介して垂下された照射部３は、そのフレキシブルチューブ４Ａの屈曲姿勢を維持する機能により、術医の所望の姿勢を採ることができる。また、天井からの垂下方式であるので、不要な時には上方に大きく湾曲させて視界から離すこともできる。
かかる照明装置により、術中において、整形手術等で患者の体位が変わることになっても、その術野に対して、前記フレキシブルチューブ４Ａを所望の状態に屈曲させて照射部３の向きを変え、それまでの陰の部位、或いは深部に対する照明を十分なものとすることができる。【００３０】  この際、術医が照射部３を把持して向き調節を行うので、自らが必要とする部位に対して照準を合わせることが容易である。特に、術医は、患者の体位変更（整形外科）或いは切開深度に応じて手術中に自らの姿勢（特に頭部）を種々変化させるが、こうした姿勢変更に際しても照射部３の存在が邪魔にならず、且つ、的確に患部を照明することが必要であり、上記フレキシブルチューブ４Ａによって、術医が自ら所望の状態に照射部３の向き、位置を精妙に操作できるのである。【００３１】  また、この実施例では、光源部２が天井の固定側に設けられていることで、照射部３の重量が軽減され、その分、照射部３の操作が軽く行い得ると共にフレキシブルチューブ４Ａが小径のものであっても、十分に屈曲姿勢を維持させ易いのである。そして、照射部３の集光レンズ１０の焦点操作部１１を術医が自ら操作することで、術野の所望部位に対する照度を調節することが可能であり、手術部位が身体深部の場合等、陰が生じ昜い部位に対する照度の調節を行い得て、手術を行い易くすることができる。【００３２】  尚、上記実施例１において、装置を天井から垂下させるのではなく、姿勢保持手段４であるフレキシブルチューブ４Ａを、後述の実施例２に示すクランプ機構１Ｃのような支持手段（上記被固定部材１Ａと着脱可能な取り付け部材１Ｂに相当）で手術台７の器具固定用フレーム７Ａに固定し、ここから更に床上に伸ばした位置に光源部２を配置する構成としてもよい。この場合、クランプ機構１Ｃから光源部２へは、フレキシブルチューブ４Ａでなく単なる可撓性チューブに光ファイバー５を収容するだけでもよい。また、光源部２は移動可能としてもよい。要するに、本発明において、装置を固定する固定手段１は、必須であるが、その位置は、光源部２と照射部３との間で手術台７に対して行ってもよいということもあり、その位置を問わない。【００３３】（実施例２）
ここでは、図７及び図８に示すように、照明装置を手術台７の側部に位置する器具固定用フレーム７Ａに装着する態様について述べる。
この実施例においても、照明装置が、これを固定するための固定手段１、光を発生させる光源部２、２枚の集光レンズ１０（１０Ａ，１０Ｂ）を備えた照射部３、及び前記照射部３の操作姿勢を保持する姿勢保持手段４とから構成されている点は実施例１と同じである。【００３４】  ここでは、図８に示すように、前記光源部２がハロゲンランプ２Ｂから構成され、且つ、赤外線遮光フィルター８が備えられている。前記ハロゲンランプ２Ｂとしては、この実施例では、１００ワットのものが用いられている。尚、前記赤外線遮光フィルター８は、患部の発熱を防止するために備えることが好ましいが、必ずしも必須ではない。
そして、前記固定手段１が、手術台７の器具固定用フレーム７Ａに対して着脱可能なクランプ機構１Ｃからなる。このクランプ機構１Ｃとしては、ここでは所謂万力の構造のものが用いられている。このクランプ機構１Ｃには、枢支構造を持つアーム機構１Ｄが連設されており、そのアーム機構１Ｄに前述の光源部２と照明部３とが取り付けられている。【００３５】  また、前記アーム機構１Ｄの嵌合部５４Ａを介して内装ケーブル５３が設けられ、その基端にはＡＣ／ＤＣコンバーター５４が設けられ、その先端に電源コンセント５４Ｂが設けられ、手術室のコンセントに接続される。また、内装ケーブル５３の先端側は、外装ケーブル５２となり、その先端に着脱自在のジャック５１が設けられ、ここから姿勢保持手段４（フレキシブルチューブ４Ａ）の中を通って、光源部２に電力が供給される。尚、前記ジャック５１をソケットから外し、そこに別のジャックを差し込んで、これをバッテリーに接続することができる。このように構成した場合には、バッテリーが移動可能であるので、装置を、器具固定用フレーム７Ａでなく、離被架（リヒカ）の方に設置する場合でも自由に移動できる。【００３６】  そして、この実施例では、前記光源部２が前記照射部３に隣接設置されているのである。即ち、図８に示すように、集光レンズ１０を備えた照明部３とハロゲンランプ２Ｂとその反射鏡７１を備えた光源部２が一体のケーシング（螺合による基部１１Ａ及び先端部１１Ｂの２分割）に収容されており、ハロゲンランプ２Ｂの光が直接に集光レンズ１０の基部１１側の集光レンズ１０Ａに照射される構成とされている。勿論、螺合部１１Ｃによる焦点操作部１１の先端部１１Ｂの回動により、光収束状態（フォーカス）については調整が可能である。こうした一体化構造により、照明部３が重くなるという問題があるが、この照明部３を前記アーム機構１Ｃに保持させるフレキシブルチューブ４Ａが十分な強度のものであれば、照明部３の操作姿勢を保持させることは問題なく行い得る。【００３７】  また、この実施例でも、クランプ機構１Ｃ、アーム機構１Ｄ、フレキシブルチューブ４Ａ、光源部２、照明部３等、術医が触れる可能性のある部品については、オートクレーブによる滅菌処理が必須となるので、こうした滅菌処理が可能な素材、金属、耐熱性樹脂等により構成されていることは、実施例１と同じである。【００３８】  従って、この実施例の装置についても、手術台７の側部に位置する器具固定用フレーム７Ａにクランプ機構１Ｃを用いて装着したアーム機構１Ｄを屈曲変位させ、更には、フレキシブルチューブ４Ａを屈曲変位させ、照明部３の向きを調節して術野に適合した最適な照明状態を得ることができ、下肢の整形手術等に好適である。
尚、この実施例２において、図示及び説明を省略しているが、必要とあれば、実施例１に示すような排熱部（放熱器４３、排熱ファン４２など）を設け、強制冷却することで、ハロゲンランプ２Ｂの熱を排出するのが好ましい。【００３９】（変形例）
図９は、上記実施例２の照射部３の変形例を示すもので、ここでは、ハロゲンランプ２Ｂに代えてＬＥＤが用いられている。
ここでは、前記光源部２が前記照射部３に隣接設置されている点は同じであるが、図９に示すように、集光レンズ１０を備えた照明部３とＬＥＤ２Ａからなる光源部２が一体のケーシング（螺合による基部１１Ａ及び先端部１１Ｂの２分割）に収容されており、ＬＥＤ２Ａの光が直接に集光レンズ１０の基部１１Ａ側の集光レンズ１０Ａに照射される構成とされている。勿論、螺合部１１Ｃによる焦点操作部１１の回動により、光収束状態（フォーカス）については調整が可能である。こうした一体化構造により、照明部３が重くなるという問題があるが、この照明部３を前記アーム機構１Ｃに保持させるフレキシブルチューブ４Ａが十分な強度のものであれば、照明部３の操作姿勢を保持させることは問題なく行い得る。【００４０】  また、ＬＥＤ２Ａは発光に伴い発熱するので、ここでは、ＬＥＤ２Ａを収容している基部１１Ａの外周に、放熱フィン８１を備え、これによって、発熱を自然冷却することにしている。
勿論、冷却手段としては、実施例１のように強制空冷を行う他、液冷方式も採用可能である。
【産業上の利用可能性】
【００４１】  本発明の外科用手術照明装置は、外科、特に術中に患者の体位を変える必要性のある整形外科の手術に際して、術医が自ら術野を的確に照明するのに好適であり、その応用範囲は広い。
【図面の簡単な説明】
【００４２】
【図１】本発明にかかる外科用手術照明装置の実施例１における設置状態を示す全体の斜視図である。
【図２】本発明にかかる外科用手術照明装置の実施例１における装置の全体の一部切り欠き概略斜視図である。
【図３】本発明にかかる外科用手術照明装置の実施例１における装置の要部の一部切欠き正面図である。
【図４】本発明にかかる外科用手術照明装置の実施例１における装置の光源部の内部を示す概略正面図である。
【図５】本発明にかかる外科用手術照明装置の実施例１における装置の要部の連結状態を示す斜視図である。
【図６】本発明にかかる外科用手術照明装置の実施例１における装置の要部の拡大断面である。
【図７】本発明にかかる外科用手術照明装置の実施例２における設置状態を示す全体の斜視図である。
【図８】本発明にかかる外科用手術照明装置の実施例２における光源部及び照射部の縦断面図である。
【図９】本発明にかかる外科用手術照明装置の実施例２の一部変形例を示す光源部及び照射部の縦断面図である。
【符号の説明】
【００４３】１：固定手段
１Ａ：被固定部材
１Ｂ：取り付け部材
２：光源部
２Ａ：ＬＥＤ
２Ｂ：ハロゲンランプ
３：照射部
４：姿勢保持手段
４Ａ：フレキシブルチューブ
５：光ファイバー
７：手術台
７Ａ：器具固定用フレーム
８：赤外線遮光フィルター
１０：集光レンズ
１１：焦点操作部
【図１】
2011056225.tif 000003
【図２】
2011056225.tif 000004
【図３】
2011056225.tif 000005
【図４】
2011056225.tif 000006
【図５】
2011056225.tif 000007
【図６】
2011056225.tif 000008
【図７】
2011056225.tif 000009
【図８】
2011056225.tif 000010
【図９】
2011056225.tif 000011